(57)【特許請求の範囲】
【請求項１】
使用者の顔の少なくとも一部を覆う本体部と、前記本体部の左右両端に連設され、使用者の耳に掛けられる耳掛け部と、を備えるマスクであって、
前記本体部の左右それぞれに設けられた第１係止部と、
前記本体部の左右それぞれに前記第１係止部から離間して設けられ、前記第１係止部と係止可能な第２係止部と、
を備え、
前記耳掛け部を使用者の耳に掛けて、前記第１係止部と前記第２係止部とを係止していない状態では、使用者の顔の顎部と、該顎部に対向する前記本体部の部分との間に隙間があり、
前記耳掛け部を使用者の耳に掛けて、前記第１係止部と前記第２係止部とを係止した状態では、使用者の顔の顎部と、該顎部に対向する前記本体部の部分とが密接することを特徴とするマスク。
【請求項２】
請求項１に記載のマスクにおいて、
前記第１係止部は、前記本体部の左右両端であって使用者の耳側に設けられ、
前記第２係止部は、前記本体部の外周形状に沿って前記第１係止部から離間するように使用者の口側に設けられていることを特徴とするマスク。
【請求項３】
請求項１又は２に記載のマスクにおいて、
前記第１係止部は、前記本体部の左右それぞれに取り付けられた係止ボタンから構成され、
前記第２係止部は、前記本体部の左右それぞれに取り付けられ、前記係止ボタンに係止可能なセッパから構成されていることを特徴とするマスク。
【請求項４】
請求項１又は２に記載のマスクにおいて、
前記第１係止部は、前記本体部の左右それぞれに取り付けられた係止ボタンから構成され、
前記第２係止部は、前記本体部の左右それぞれに取り付けられ、前記係止ボタンが挿通可能な係止孔が形成された係止体から構成されていることを特徴とするマスク。
【請求項５】
請求項１又は２に記載のマスクにおいて、
前記第１係止部は、前記本体部の左右それぞれに取り付けられた第１スナップボタンから構成され、
前記第２係止部は、前記本体部の左右それぞれに取り付けられ、前記第１スナップボタンに係止可能な第２スナップボタンから構成されていることを特徴とするマスク。
【発明の詳細な説明】
【技術分野】
【０００１】
本発明は、使用者の顔の鼻及び口を覆うマスクに関する。
【背景技術】
【０００２】
衛生用としてのマスクの需要が増加しており、様々な工夫を施したマスクが提案されている（例えば、特許文献１参照）。
【０００３】
特許文献１に記載のマスクでは、使用者の顔の鼻及び口を覆う本体部に、着用者の肌に向く面に、摩擦係数の平均偏差が小さい、保湿剤を有する、滑り止め材を有する等の所定の性質が付与されたシート片を取り付けることで、本体部のずれを防止し、保湿性能を高めている。本体部と、当該マスク本体部を前記着用者の耳に係止するための左右一対の耳掛け部と、を備えるマスクであって、本体部は、一又は複数のシート材を備え、
【先行技術文献】
【特許文献】
【０００４】
【特許文献１】特開２０１９‐０６００５８号公報
【発明の概要】
【発明が解決しようとする課題】
【０００５】
特許文献１では、本体部のずれを防止し、保湿性能を高めているが、いずれも本体部が使用者の顔に密接することを前提としており、本体部を使用者の顔に密接していない状態にすることができないという問題があった。このため、例えば、呼吸を楽にする場合や、使用者が飲食等を行うときには、マスクを顔から取り外す必要があり、手間がかかり、衛生面でも好ましくなかった。
【０００６】
本発明はかかる背景に鑑みてなされたものであり、本体部を使用者の顔に密接した状態と密接していない状態とに切り換え可能で、本体部を密接した状態で係止することができるマスクを提供することを目的とする。
【課題を解決するための手段】
【０００７】
［１］本発明のマスクは、使用者の顔の少なくとも一部を覆う本体部と、前記本体部の左右両端に連設され、使用者の耳に掛けられる耳掛け部と、を備えるマスクであって、前記本体部の左右それぞれに設けられた第１係止部と、前記本体部の左右それぞれに前記第１係止部から離間して設けられ、前記第１係止部と係止可能な第２係止部と、を備え、前記耳掛け部を使用者の耳に掛けて、前記第１係止部と前記第２係止部とを係止していない状態では、使用者の顔の顎部と、該顎部に対向する前記本体部の部分との間に隙間があり、前記耳掛け部を使用者の耳に掛けて、前記第１係止部と前記第２係止部とを係止した状態では、使用者の顔の顎部と、該顎部に対向する前記本体部の部分とが密接することを特徴とする。
【０００８】
本発明のマスクによれば、第１係止部と第２係止部とを係止したときに、本体部の下端部の一部を折り畳んだ状態にして、本体部の下端部と使用者の顔とを密接させることができるので、本体部を使用者の顔に密接した状態と、密接していない状態とに切り換えることができ、本体部を使用者の密接した状態では、密接していないものに比べて、衛生性を向上することができる。
【０００９】
また、本体部を使用者の顔に密接していない状態に切り換えることで、密接しているものに比べて、通常の生活時の呼吸を楽にすることや、さらには、ランニングを行うとき等の呼吸を楽にすることができる。
【００１０】
さらに、本体部を使用者の顔に密接していない状態では、本体部の下端部と使用者の顔との間に隙間があるので、本体部の下端部を折り返すことができ、本体部の下端部を上方に折り返すと、使用者の口周辺を露呈させることができる。これにより、マスクを取り外すことなく、飲食、化粧、こう鼻（鼻をかむ）等を行うことができる
【００１１】
［２］前記第１係止部は、前記本体部の左右両端であって使用者の耳側に設けられ、前記第２係止部は、前記本体部の外周形状に沿って前記第１係止部から離間するように使用者の口側に設けられていることが好ましい。
【００１２】
上記構成によれば、第１係止部と第２係止部とを係止したときに、本体部の下端部の一部を本体部の外周形状に沿って折り畳み、本体部の一部であって使用者の耳側部分と口側部分との間の部分を折り畳むことができ、本体部の下端部と使用者の顔とを確実に密接させることができる。
【００１３】
［３］前記第１係止部は、前記本体部の左右それぞれに取り付けられた係止ボタンから構成され、前記第２係止部は、前記本体部の左右それぞれに取り付けられ、前記係止ボタンに係止可能なセッパから構成されていることが好ましい。
【００１４】
上記構成によれば、セッパを係止ボタンに係止するだけで、容易に本体部を使用者の密
接した状態で係止することができる。
【００１５】
［４］前記第１係止部は、前記本体部の左右それぞれに取り付けられた係止ボタンから構成され、前記第２係止部は、前記本体部の左右それぞれに取り付けられ、前記係止ボタンが挿通可能な係止孔が形成された係止体から構成されていることが好ましい。
【００１６】
上記構成によれば、係止ボタンを係止体の係止孔に挿通するだけで、容易に本体部を使用者の密接した状態で係止することができる。
【００１７】
［５］前記第１係止部は、前記本体部の左右それぞれに取り付けられた第１スナップボタンから構成され、前記第２係止部は、前記本体部の左右それぞれに取り付けられ、前記第１スナップボタンに係止可能な第２スナップボタンから構成されていることが好ましい。
【００１８】
上記構成によれば、第１スナップボタンと第２スナップボタンとを係止するだけで、容易に本体部を使用者の密接した状態で係止することができる。
【図面の簡単な説明】
【００１９】
【図１】本発明のマスクを示す正面図。
【図２】マスクを使用者の顔に装着した状態を示す側面図。
【図３】使用者の顔に装着したマスクを折り返して使用者の口周辺を露呈した状態を示す側面図。
【図４】使用者の顔に装着したマスクのセッパをボタンに係止して使用者の顔に密接させた状態を示す側面図。
【図５】第２実施形態のマスクを示す正面図。
【図６】第２実施形態のマスクの係止ボタンを係止体に係止した状態を示す正面図。
【図７】第３実施形態のマスクを示す正面図。
【図８】第３実施形態のマスクの第１スナップボタンを第２スナップボタンに係止した状態を示す正面図。
【００２０】
以下、本発明の実施形態について、図面を参照しながら説明する。
【００２１】
[第１実施形態]
先ず、本発明を実施したマスク１０の構造の一例について説明する。
【００２２】
図１及び図２に示すように、マスク１０は、使用者Ｐの鼻及び口を覆う本体部１１と、この本体部１１の左右両端に連設され、使用者Ｐの耳に掛けられる耳掛け部１２と、を備える。
【００２３】
耳掛け部１２は、使用者Ｐの耳が挿入されて掛けられる耳掛け孔１２ａが形成されている。
【００２４】
本体部１１の左右それぞれで使用時における使用者の耳側には、係止ボタン１６が取り付けられている。本体部１１の左右それぞれで係止ボタン１６よりも下方には、セッパ１７が取り付けられている。セッパ１７は、本体部１１の外周形状に沿って係止ボタン１６から離間するように使用時における使用者の口側に設けられている。係止ボタン１６は、その中心部が例えば縫製により本体部１１に取り付けられている。
【００２５】
セッパ１７は、周知のものであり、その詳細な説明を簡略化するが、本体部１１に例えば縫製により取り付けられる取付部１７ａと、ループ状のホール部１７ｂとを備え、ホール部１７ｂは本体部１１に取り付けられていない。
【００２６】
図２に示すように、係止ボタン１６をセッパ１７に係止していない状態では、本体部１１の下端部と、使用者Ｐの顔との間に隙間がある。この隙間により、咳やくしゃみなどによる飛沫を抑制しながらも、マスクの下端部が使用者Ｐの顔と密接しているものに比べて、楽に呼吸することができる。これにより、通常の生活時の呼吸を楽にすることや、さらには、ランニングを行うとき等の呼吸を楽にすることができる。
【００２７】
本発明のマスク１０は、上記構成により、本体部１１の下端部を折り返し可能となっており、図３に示すように、本体部１１の下端部を上方に折り返した状態では、使用者Ｐの口周辺が露呈される。これにより、マスク１０を取り外すことなく、飲食、化粧、こう鼻（鼻をかむ）等を行うことができる。
【００２８】
本発明のマスク１０では、耳掛け部１２（マスク１０）の外周と、耳掛け孔１２ａとの間である保持部は、ひも状のもの等に比べて幅広となっている。これにより、耳掛け孔１２ａから連続する切り込みを保持部に形成することができ、保持部に切り込みを形成することで、耳掛け部１２（保持部）の使用者の耳に掛けられる部分から、本体部１１の左右方向中心までの長さが変化し（長くなり）、顔のサイズが異なる使用者にも本体部１１（マスク１０）をフィットさせることができる。
【００２９】
また、図４に示すように、本体部１１の左右に取り付けられた係止ボタン１６を、本体部１１の左右に取り付けらえたセッパ１７のホール部１７ｂに挿通して係止すると、本体部１１の下端部と使用者Ｐの顔とが密接される。
【００３０】
このように、本発明のマスク１０によれば、本体部１１を使用者Ｐの顔に密接した状態と、密接していない状態とに切り換えることができ、さらには、本体部１１を使用者Ｐの密接した状態で係止することができるので、密接していないものに比べて、衛生性を向上することができる。
【００３１】
さらに、本発明のマスク１０によれば、本体部１１を使用者Ｐの顔に密接していない状態では、本体部１１の下端部を折り返し可能となっており、本体部１１の下端部を上方に折り返すと、使用者Ｐの口周辺を露呈させることができる。
【００３２】
[第２実施形態]
図５及び図６に示す第２実施形態では、マスク１００は、本体部１１と、耳掛け部１２とを備え、本体部１１の左右それぞれには、係止ボタン１６が取り付けられ、本体部１１の左右それぞれで係止ボタン１６よりも下方には、係止体１０７が取り付けられている。なお、上記実施形態と同様の構成部材には同一の符号を付し、その詳細な説明を省略する。
【００３３】
係止体１０７には、係止ボタン１６が挿通可能な係止孔１０７ａが形成されており、この係止孔１０７ａが形成された部分は、本体部１１に取り付けられていない。
【００３４】
係止ボタン１６を係止体１０７の係止孔１０７ａに挿通していない（係止していない）状態では、上記第１実施形態と同様に、本体部１１の下端部と、使用者Ｐの顔との間に隙間がある。
【００３５】
図６に示すように、本体部１１の左右に取り付けられた係止ボタン１６を、本体部１１の左右に取り付けらえた係止体１０７の係止孔１０７ａに挿通して係止すると、本体部１１の下端部と使用者Ｐの顔とが密接される。
【００３６】
[第３実施形態]
図７及び図８に示す第３実施形態では、マスク２００は、本体部１１と、耳掛け部１２とを備え、本体部１１の左右それぞれには、第１スナップボタン２０１が取り付けられ、本体部１１の左右それぞれで第１スナップボタン２０１よりも下方には、第２スナップボタン２０２が取り付けられている。なお、上記実施形態と同様の構成部材には同一の符号を付し、その詳細な説明を省略する。
【００３７】
第１、第２スナップボタン２０１，２０２は、周知のものであり、その詳細な説明を簡略するが、第１スナップボタン２０１は、凹タイプのスナップボタンで、第２スナップボタン２０２は、凸タイプのスナップボタンであり、第２スナップボタン２０２の凸部を、第１スナップボタン２０１の凹部に挿入することで、第１、第２スナップボタン２０１，２０２は係止される。
【００３８】
第１スナップボタン２０１と第２スナップボタン２０２とを係止していない状態では、上記第１実施形態と同様に、本体部１１の下端部と、使用者Ｐの顔との間に隙間がある。
【００３９】
図８に示すように、本体部１１の左右に取り付けられた第２スナップボタン２０２を、本体部１１の左右に取り付けらえた第１スナップボタン２０１に係止すると、本体部１１の下端部と使用者Ｐの顔とが密接される。
【００４０】
以上、本発明を、その好適な実施形態について説明したが、当業者であれば容易に理解できるように、本発明はこのような実施形態により限定されるものではなく、本発明の趣旨を逸脱しない範囲で適宜変更可能である。
【００４１】
例えば、上記第１実施形では、セッパ１７を係止ボタン１６の下方で内側部分に取り付けているが、セッパ１７と係止ボタン１６との位置関係は適宜変更可能であり、例えば、セッパ１７を係止ボタン１６の横や上方に取り付けるようにしてもよい。
【００４２】
また、上記第２実施形態では、係止体１０７を係止ボタン１６の下方で内側部分に取り付けているが、係止体１０７と係止ボタン１６との位置関係は適宜変更可能であり、例えば、係止体１０７を係止ボタン１６の横や上方に取り付けるようにしてもよい。さらに、２個の係止体１０７を一体的に形成するようにしてもよい。
【００４３】
さらに、上記第３実施形態では、第２スナップボタン２０２を第１スナップボタン２０１の下方で内側部分に取り付けているが、第２スナップボタン２０２と第１スナップボタン２０１との位置関係は適宜変更可能であり、例えば、第２スナップボタン２０２を第１スナップボタン２０１の横や上方に取り付けるようにしてもよい。
【００４４】
また、本体部１１の一部分を、本体部１１の他部分に係止可能であれば、係止構造は適宜変更可能であり、例えば、本体部１１に取り付けた係止ボタン１６を、本体部１１に形成した係止孔に挿通して係止する係止構造や、本体部１１に取り付けた磁石を、本体部１１に取り付けた金属部材に係止する係止構造や、線ファスナーを用いた係止構造や、面ファスナーを用いた係止構造等でもよい。
【００４５】
また、耳掛け部１２の形状は適宜変更可能であり、例えば、ひも状の耳掛け部でもよい。
【符号の説明】
【００４６】
１０，１００，２００…マスク、１１…本体部、１２…耳掛け部、１６…係止ボタン、１７…セッパ、１０７…係止体、１０７ａ…係止孔、２０１…第１スナップボタン、２０２…第２スナップボタン
【要約】
【課題】  本体部を使用者の顔に密接した状態と密接していない状態とに切り換え可能で、本体部を密接した状態で係止することができるマスクを提供する。
【解決手段】  マスク１０は、使用者Ｐの鼻及び口を覆う本体部１１と、この本体部１１の左右両端に連設され、使用者Ｐの耳に掛けられる耳掛け部１２とを備える。本体部１１の左右それぞれには、係止ボタン１６が取り付けられ、本体部１１の左右それぞれで係止ボタン１６よりも下方には、セッパ１７が取り付けられている。係止ボタン１６をセッパ１７に係止していない状態では、本体部１１の下端部と、使用者Ｐの顔との間に隙間がある。係止ボタン１６を、セッパ１７のホール部１７ｂに挿通して係止すると、本体部１１の下端部と使用者Ｐの顔とが密接される。
【選択図】  図２【図１】
0006954689.tif 000002
【図２】
0006954689.tif 000003
【図３】
0006954689.tif 000004
【図４】
0006954689.tif 000005
【図５】
0006954689.tif 000006
【図６】
0006954689.tif 000007
【図７】
0006954689.tif 000008
【図８】
0006954689.tif 000009